(57)【要約】【課題】ＨＤ−ＤＶＤにおいて、アドレス情報の信頼性を向上する。【解決手段】ＨＤ−ＤＶＤの光ディスク１０には、グルーブ及びランドの両方にデータが記録される。グルーブトラックにはグルーブ専用のＧトラックアドレス系がパリティビットを含んで形成され、ランドトラックにはランド専用のＬトラックアドレス系がパリティビットを含んで形成される。グルーブトラックトレース時にＧトラックアドレス系からアドレス情報Ｘを読み出すとともにＬトラックアドレス系からもアドレス情報Ｙを読み出す。パリティが一致した場合でもＸ＝ＹあるいはＸ＝Ｙ＋１の関係を満たさない場合に、アドレス情報Ｘはエラーと判定する。【選択図】図１
2005259188.tif 000002
【特許請求の範囲】
【請求項１】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、
前記グルーブトラックアドレス系はパリティビットを有し、
前記グルーブトラックアドレス系を再生して得られるウォブル信号から第１グルーブアドレス情報Ｘを復調する手段と、
前記パリティビットを用いて前記第１グルーブアドレス情報Ｘのパリティを検査する手段と、
前記パリティの検査が正常である場合に前記ランドトラックアドレス系を再生して得られるウォブル信号から第２グルーブアドレス情報Ｙを復調する手段と、
前記第１グルーブアドレス情報Ｘに対し、前記第２グルーブアドレス情報ＹがＸ＝ＹあるいはＸ＝Ｙ＋１のいずれでもない場合に、前記第１グルーブアドレス情報Ｘのエラーを判定する手段と、
を有することを特徴とする光ディスク装置。
【請求項２】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記ランドトラックアドレス系はパリティビットを有し、
前記ランドトラックアドレス系を再生して得られるウォブル信号から第１グルーブアドレス情報Ｘを復調する手段と、
前記パリティビットを用いて前記第１ランドアドレス情報Ｘのパリティを検査する手段と、
前記パリティの検査が正常である場合に前記グルーブトラックアドレス系を再生して得られるウォブル信号から第２ランドアドレス情報Ｙを復調する手段と、
前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段と、
を有することを特徴とする光ディスク装置。
【請求項３】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記グルーブトラックアドレス系及びランドトラックアドレス系はそれぞれパリティビットを有し、
前記グルーブトレース時においてグルーブトラックアドレス系を再生して得られるウォブル信号、あるいは前記ランドトレース時においてランドトラックアドレス系を再生して得られるウォブル信号から第１アドレス情報Ｘを復調する手段と、
前記パリティビットを用いて前記第１アドレス情報Ｘのパリティを検査する手段と、
前記パリティの検査が正常である場合に、前記グルーブトレース時において前記ランドトラックアドレス系を再生して得られるウォブル信号、あるいは前記ランドトレース時において前記グルーブトラックアドレス系を再生して得られるウォブル信号から第２アドレス情報Ｙを復調する手段と、
前記第１アドレス情報Ｘに対し、前記第２アドレス情報Ｙが、｜Ｘ−Ｙ｜＞１である場合に、前記第１アドレス情報Ｘのエラーを判定する手段と、
を有することを特徴とする光ディスク装置。
【請求項４】
グルーブ及びランドをウォブルさせることでアドレス情報が埋め込まれ、前記アドレス情報は連続する２つのアドレス値の符号化距離が１となるグレーコードに変換されて埋め込まれ、前記グルーブ及びランドにデータの記録あるいは再生が行われる光ディスクであって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記グルーブトラックアドレス系及びランドトラックアドレス系はそれぞれパリティビットを有する
ことを特徴とする光ディスク。
【発明の詳細な説明】
【技術分野】
【０００１】
本発明は光ディスク装置及び光ディスクに関し、特にグルーブ及びランドを用いてデータの記録／再生を行う高密度の光ディスク装置及び光ディスクに関する。
【背景技術】
【０００２】
近年、次世代ＤＶＤとしてＨＤ（Ｈｉｇｈ−Ｄｅｆｉｎｉｔｉｏｎ）−ＤＶＤが提案されている。ＨＤ−ＤＶＤにおいては、現行ＤＶＤのディスク構造を踏襲してＤＶＤとの互換性を確保しつつ、ＤＶＤ以上のさらなる高密度化を図っている。
【０００３】
ＨＤ−ＤＶＤの一つの特徴は、ランドとグルーブのいずれにも情報を記録するランド・グルーブ記録方式を採用した点にある。ランドトラック及びグルーブトラックをウォブル（蛇行）させ、このウォブルにアドレス情報を埋め込む。具体的には、位相変調を用いて０度の位相を「０」、１８０度の位相を「１」としてアドレス情報を表現する。なお、アドレス情報は、２進データをグレーコードに変換してウォブルに埋め込まれる。ここに、グレーコードとは、隣接する２進データの間の符号間距離、すなわち反転ビット数を１とするコードである。これにより、アドレス「０」は「００００００００」、アドレス１は「０００００００１」、アドレス「２」は「００００００１１」、アドレス「３」は「００００００１０」、アドレス「４」は「０００００１１０」等とグレーコードで表現される。
【０００４】
図６には、ＨＤ−ＤＶＤのウォブルが模式的に示されている。あるグルーブトラックは内周側ウォブルと外周側ウォブルがともに０度の「０」と、内周側ウォブル及と外周側ウォブルがともに１８０度の「１」から「０００１」とアドレス情報が埋め込まれ、次のグルーブトラックは同様に内周側ウォブルと外周側ウォブルがともに０度の「０」と、内周側ウォブル及と外周側ウォブルがともに１８０度の「１」から「００１１」とアドレス情報が埋め込まれる。一方、その間のランドトラックは、連続するグルーブトラックの反転ビット位置において内周側ウォブルと外周側ウォブルとが逆相となり（図中、位置１００位）ウォブル信号が特定されない。
【０００５】
そこで、ＨＤ−ＤＶＤでは、ランド、グルーブそれぞれのトラックアドレスを埋め込む専用領域を設け、トラック方向に沿ってずらせて形成している。これにより、ランドトラックのアドレス情報を読み出す場合、グルーブ専用領域は読み飛ばし、次のランド専用領域にあるトラックアドレスを読み出すようにしている。
【０００６】
図７には、ＨＤ−ＤＶＤのアドレス構成が模式的に示されている。図において、グルーブ専用領域は「Ｇトラックアドレス系」、ランド専用領域は「Ｌトラックアドレス系」として示されている。グルーブトラック及びランドトラックはそれぞれトラック方向に複数のセグメントに分割される。セグメントアドレスは、ディスクを１周する毎にリセットされるように規定されており、すなわちグルーブＮのセグメント１の隣にはランドＮのセグメント１が、さらにその隣にはグルーブＮ＋１のセグメント１が配置される。
【０００７】
グルーブＮのＧトラックアドレス系には同相ウォブルでアドレス「Ｎ」が埋め込まれ、隣接するランドＮのＬトラックアドレス系には同相ウォブルでアドレス「Ｎ」が埋め込まれる。したがって、グルーブトラックＮ（グルーブＮ）をトレースする場合にはセグメント及びＧトラックアドレス系のウォブル信号を再生し、ランドトラックＮ（ランドＮ）をトレースする場合にはセグメントの次にＧトラックアドレス系を飛び越してＬトラックアドレス系のウォブル信号を再生してアドレス情報を得る。
【０００８】
【特許文献１】「日経エレクトロニクス１０月１３日号」日経ＢＰ社，２００３年１０月１３日発行，ｐ１２６−１３４
【発明の開示】
【発明が解決しようとする課題】
【０００９】
このように、ランドＮをトレースする場合にはＧトラックアドレス系を飛び越してＬトラックアドレス系を読み出すため、図７のＡで示されるＧトラックアドレス系はアドレス情報再生時には不要あるいは無駄な領域となってしまう。同様に、グルーブＮ＋１をトレースする場合にはＬトラックアドレス系を用いることがないので、図７のＢで示されるＬトラックアドレス系は無駄な領域となってしまう。これらの領域には逆相ウォブルが含まれているためアドレス情報としては不定となるが、これらの情報を有効活用する技術が望まれる。
【００１０】
これらの情報を有効活用する一つの方法は、これらの情報を用いてアドレス情報の検証を行うことである。例えば、グルーブトラックトレース時において、Ｇトラックアドレス系からアドレス情報Ｘを読み出し、Ｌトラックアドレス系からもアドレス情報Ｙを読み出す。Ｌトラックアドレス系は逆相ウォブルを含むため不定であるが、アドレス情報は符号間距離が１のグレーコードで符号化されているため、Ｌトラックアドレス系のアドレスは隣接するトラックアドレスのいずれかに等しい。すなわち、グルーブトラックがのアドレス値がＮである場合、Ｌトラックアドレス系のアドレス値は、Ｎ−１かＮのいずれかである。したがって、Ｇトラックアドレス系から読み出したアドレス情報と、Ｌトラックアドレス系から読み出したアドレス情報とを比較することで、Ｇトラックアドレス系のアドレス情報の読み取りエラーをある程度検出することが可能である。
【００１１】
但し、Ｌトラックアドレス系のアドレス情報はＮ−１あるいはＮのいずれかとなるため、例えばＧトラックアドレス系のアドレス情報の読み取りエラーが生じ、本来アドレス値がＮであるべきところを誤ってＮ−１と読み取った場合であっても、Ｌトラックアドレス系のアドレス値もＮ−１となり得るため、結果としてＧトラックアドレス系のアドレス値とＬトラックアドレス系のアドレス値とが一致し、Ｇトラックアドレス系の読み取りエラーを検出することができない。ランドトラックトレース時にも同様の問題が生じる。
【００１２】
本発明の目的は、グルーブトラックトレース時においてもＬトラックアドレス系の情報を有効活用するとともに、アドレス情報の信頼性を向上できる光ディスク装置を提供することにある。
【００１３】
また、ランドトラックトレース時においてもＧトラックアドレス系の情報を有効活用するとともに、アドレス情報の信頼性を向上できる光ディスク装置及び光ディスクを提供することにある。
【課題を解決するための手段】
【００１４】
本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、前記グルーブトラックアドレス系はパリティビットを有し、前記グルーブトラックアドレス系を再生して得られるウォブル信号から第１グルーブアドレス情報Ｘを復調する手段と、前記パリティビットを用いて前記第１グルーブアドレス情報Ｘのパリティを検査する手段と、前記パリティの検査が正常である場合に前記ランドトラックアドレス系を再生して得られるウォブル信号から第２グルーブアドレス情報Ｙを復調する手段と、前記第１グルーブアドレス情報Ｘに対し、前記第２グルーブアドレス情報ＹがＸ＝ＹあるいはＸ＝Ｙ＋１のいずれでもない場合に、前記第１グルーブアドレス情報Ｘのエラーを判定する手段とを有することを特徴とする。
【００１５】
また、本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記ランドトラックアドレス系はパリティビットを有し、前記ランドトラックアドレス系を再生して得られるウォブル信号から第１グルーブアドレス情報Ｘを復調する手段と、前記パリティビットを用いて前記第１ランドアドレス情報Ｘのパリティを検査する手段と、前記パリティの検査が正常である場合に前記グルーブトラックアドレス系を再生して得られるウォブル信号から第２ランドアドレス情報Ｙを復調する手段と、前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段とを有することを特徴とする。
【００１６】
また、本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記グルーブトラックアドレス系及びランドトラックアドレス系はそれぞれパリティビットを有し、前記グルーブトレース時においてグルーブトラックアドレス系を再生して得られるウォブル信号、あるいは前記ランドトレース時においてランドトラックアドレス系を再生して得られるウォブル信号から第１アドレス情報Ｘを復調する手段と、前記パリティビットを用いて前記第１アドレス情報Ｘのパリティを検査する手段と、前記パリティの検査が正常である場合に、前記グルーブトレース時において前記ランドトラックアドレス系を再生して得られるウォブル信号、あるいは前記ランドトレース時において前記グルーブトラックアドレス系を再生して得られるウォブル信号から第２アドレス情報Ｙを復調する手段と、前記第１アドレス情報Ｘに対し、前記第２アドレス情報Ｙが、｜Ｘ−Ｙ｜＞１である場合に、前記第１アドレス情報Ｘのエラーを判定する手段とを有することを特徴とする。
【００１７】
また、本発明は、グルーブ及びランドをウォブルさせることでアドレス情報が埋め込まれ、前記アドレス情報は連続する２つのアドレス値の符号化距離が１となるグレーコードに変換されて埋め込まれ、前記グルーブ及びランドにデータの記録あるいは再生が行われる光ディスクであって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記グルーブトラックアドレス系及びランドトラックアドレス系はそれぞれパリティビットを有することを特徴とする。
【００１８】
本発明では、グルーブをトレースする場合に、グルーブトラックアドレス系からアドレス情報を復調し、そのパリティを検査する。パリティが一致しない場合には、アドレス情報にはエラーが生じていると判定できる。一方、パリティが一致し正常であると判定された場合であっても、２ビット以上の偶数のエラーが生じている可能性がある。そこで、パリティが正常である場合にこのエラーを検出すべく、逆相ウォブルを含むため本来的に不定となるランドトラックアドレス系からもアドレス情報を復調し、両アドレス情報を比較する。ランドトラックアドレス系から読み出されたアドレス情報は不定であるものの、アドレス情報は符号間距離が１のグレーコードで符号化されているため、隣接するトラックアドレスのいずれかの値となる。すなわち、ランドトラックアドレス系から得られた第２アドレス情報Ｙは、グルーブトラックアドレス系から得られた第１グルーブアドレス値Ｘに対して等しいか、あるいは１だけ小さい値をとる（内周側から外周側に向けて、グルーブ１、ランド１、グルーブ２、ランド２・・・と形成されている場合）。そこで、アドレス情報Ｘとアドレス情報Ｙとが所定の関係、すなわちＸ＝ＹあるいはＸ＝Ｙ＋１を満たすか否かを判定し、満たす場合にはアドレス情報Ｘは正常であり、満たさなければアドレス情報Ｘは２ビット以上の偶数個のエラーであると判定できる。
【００１９】
また、ランドをトレースする場合に、ランドトラックアドレス系からアドレス情報を復調し、そのパリティを検査する。パリティが一致しない場合には、アドレス情報にはエラーが生じていると判定できる。一方、パリティが一致し正常であると判定された場合であっても、２ビット以上の偶数のエラーが生じている可能性がある。そこで、パリティが正常である場合にこのエラーを検出すべく、逆相ウォブルを含むため本来的に不定となるグルーブトラックアドレス系からもアドレス情報を復調し、両アドレス情報を比較する。グルーブトラックアドレス系から読み出されたアドレス情報は不定であるものの、アドレス情報は符号間距離が１のグレーコードで符号化されているため、隣接するトラックアドレスのいずれかの値となる。すなわち、グルーブトラックアドレス系から得られた第２アドレス情報Ｙは、ランドトラックアドレス系から得られた第１アドレス値Ｘに対して等しいか、あるいは１だけ大きい値をとる（内周側から外周側に向けて、グルーブ１、ランド１、グルーブ２、ランド２・・・と形成されている場合）。そこで、アドレス情報Ｘとアドレス情報Ｙとが所定の関係、すなわちＸ＝ＹあるいはＸ＝Ｙ−１を満たすか否かを判定し、満たす場合にはアドレス情報Ｘは正常であり、満たさなければアドレス情報Ｘは２ビット以上の偶数個のエラーであると判定できる。
【発明の効果】
【００２０】
本発明によれば、グルーブトラックに形成されたランドトラックアドレス系を活用し、かつグルーブトラックのアドレス情報の信頼性を向上できる。
【００２１】
また、ランドトラックに形成されたグルーブトラックアドレス系を活用し、かつランドトラックのアドレス情報の信頼性を向上できる。すなわち、復調したアドレス情報に対しパリティとアドレス比較による二重のエラーチェックを行っているので、アドレス情報の信頼性を更に向上することができる。
【発明を実施するための最良の形態】
【００２２】
以下、図面に基づき本発明の実施形態について説明する。
【００２３】
図１には、本実施形態に係る光ディスク装置の全体構成図が示されている。光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。本実施形態では、一例として、ドライバ１４は光ディスク１０を内周から外周の間で複数のゾーンに分割し、各ゾーンにおいて角速度一定（ＺＣＡＶ）となるように駆動する。
【００２４】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００２５】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。
【００２６】
光ピックアップ１６は、光ディスク１０のグルーブ及びランドに対して記録／再生を行う。光ディスク１０には螺旋状にグルーブが形成されており、例えばグルーブ１→ランド１→グルーブ２→ランド２→グルーブ３→ランド３→・・等とグルーブとランド間で交互にデータを記録／再生する。あるいは、ゾーン毎にグルーブのみ記録／再生した後にランドに記録／再生する等、ゾーン毎にゾーン内のグルーブを全て記録／再生した後に同一ゾーン内のランドを記録／再生してもよい。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。アドレスデータは、光ディスク１０のグルーブ及びランドにウォブルとして埋め込まれる。光ディスク１０は、アドレスデータとして、セグメントアドレス及びトラックアドレスを含む。アドレスデータは、グレーコードとして光ディスク１０に形成される。
【００２７】
光ディスク１０のアドレスフォーマットは、既述したように２つのアドレス系から構成される。一方のアドレス系でグルーブトラックアドレスを常に検出し（Ｇトラックアドレス系）、他方のアドレス系でランドトラックアドレスを常に検出する（Ｌトラックアドレス系）。グルーブトラックにはＧトラックアドレス系とＬトラックアドレス系がトラック方向に沿って形成され、ランドトラックにもＧトラックアドレス系とＬトラックアドレス系がトラック方向に沿って形成される。グルーブトラックにおけるＧトラックアドレス系、及びランドトラックにおけるＬトラックアドレス系では常にウォブルが同相ウォブルとなるように調整されるため、再生信号に含まれるウォブル信号からアドレスを検出できる。
【００２８】
また、本実施形態では、Ｇトラックアドレス系のアドレスデータには１ビットのパリティビットが付加されている。すなわち、グレーコードのアドレスデータが１２ビットである場合、これら１２ビットに１ビットのパリティビットが付加される。パリティは偶数パリティでも奇数パリティでもよい。同様に、Ｌトラックアドレス系のアドレスデータにも１ビットのパリティビットが付加される。アドレスデータ及びパリティビットはシステムコントローラ３２に供給される。システムコントローラ３２は、パリティビットを用いてアドレスデータのパリティチェックを行い、データの読み取りエラーを検出する。なお、パリティチェックでは１ビットのエラーを検出することができるが、２ビット（偶数個）のエラーを検出することはできない。本実施形態では、１ビットのエラーをパリティチェックで検出し、それ以上の誤りを後述する方法で検出する。
【００２９】
ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００３０】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データ（ＥＴＭ変調（Eight to Twelve Modulation））としてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００３１】
このような構成において、グルーブにデータを記録／再生すべく、グルーブトラックをトレースしてアドレスを検出する場合、グルーブに形成されたＧトラックアドレス系は問題なく検出することができるが、Ｌトラックアドレス系は逆相ウォブルとなって検出不能（ＮＧ）となる。本実施形態では、このＮＧとなるＬトラックアドレス系からもランドアドレスを検出し、従来においては用いられていなかった情報を有効活用する。すなわち、本来的に不定となるＬトラックアドレス系からアドレスを検出し、このアドレスとＧトラックアドレス系から検出されたグルーブアドレスとを比較し、グルーブアドレスの検証を行う。すなわち、Ｇトラックアドレス系の１ビットのエラーはパリティチェックで検証し、Ｇトラックアドレス系のアドレスが正常かそうでないか（２ビットのエラー）を両アドレスの比較により識別する。
【００３２】
同様に、ランドにデータを記録／再生すべく、ランドトラックをトレースしてアドレスを検出する場合、ランドに形成されたＬトラックアドレス系からランドアドレスを検出し、逆相ウォブルとなるＧトラックアドレス系からもアドレスを検出して、このアドレスとＬトラックアドレス系から検出されたランドアドレスとを比較し、ランドアドレスの検証を行う。
【００３３】
図２には、本実施形態のアドレス構成が示されている。従来のＨＤ−ＤＶＤのアドレス構成を示す図７に対応するものである。図７と異なる点は、Ｇトラックアドレス系のアドレスにパリティビット２００が付加され、Ｌトラックアドレス系のアドレスにもパリティビット２００が付加される点である。パリティは奇遇いずれでもよく、例えば偶数パリティとして、読み取ったアドレスデータの１の数とパリティビットとが一致するか否かを判定する。パリティチェックの結果が一致しない場合、アドレスデータには１つあるいはそれ以上の奇数個のエラーが存在していることになる。パリティチェックの結果が一致する場合、アドレスデータは正常であるか、あるいは偶数個のエラーが存在するかのいずれかとなる。パリティチェックの結果が一致していない場合、システムコントローラ３２は直ちに読み取りエラーと判定することができる。一方、パリティチェックの結果が一致している場合、アドレスデータが正常か偶数個のエラーが生じているかを識別する必要があり、このためにグルーブトレース時におけるＬトラックアドレス系のアドレス情報を用い、ランドトレース時におけるＧトラックアドレス系を用いる。
【００３４】
以下、グルーブトラックにおけるＬトラックアドレス系、ランドトラックにおけるＧトラックアドレス系について説明する。
【００３５】
光ディスク１０には内周側から外周側に向けてランドＮ−１、グルーブＮ、ランドＮ、グルーブＮ＋１・・と形成されているものとする。グルーブＮをトレースする場合、Ｇトラックアドレス系からアドレス値（Ｎ）が読み出される。これをアドレスＸとする。この時点では、アドレスＸは正確なアドレスか否か不明である。次に、同じグルーブＮにおいて、Ｌトラックアドレス系のアドレス情報を読み取る。Ｌトラックアドレス系は逆相ウォブルを含んでおり、一義的にアドレスを決定することができないが、アドレス情報は符号間距離が１のグレーコードで埋め込まれており、Ｌトラックアドレス系のアドレス情報のうち、１つのビットのみが逆相ウォブルとなっているから、そのアドレスはＮ−１かＮのいずれかである。すなわち、逆相ウォブルとなっている信号部分を０と読み取った場合にはアドレスはＮ−１となり、逆相ウォブルとなっている信号部分を１と読み取った場合にはアドレスはＮとなる。Ｌトラックアドレス系は、このようにＮ−１かＮかいずれかの値を取り得るのであり、このアドレス値をＹとする。
【００３６】
Ｇトラックアドレス系から読み取ったアドレス値Ｘが仮に正しい値である場合、Ｘ＝Ｎ
であり、Ｙ＝ＮあるいはＮ−１であることを考慮すると、Ｘ＝ＹあるいはＸ＝Ｙ＋１の関係にある。一方、仮にＧトラックアドレス系から読み取ったアドレス値Ｘが誤りであり、例えばＸ＝Ｎ−２あるいはＮ＋２となっていた場合、Ｘ＝ＹあるいはＸ＝Ｙ＋１の関係を満たさず、これはアドレス値Ｘの読み取りエラーであると判定できる。
【００３７】
なお、Ｇトラックアドレス系から読み取ったアドレス値Ｘが誤りであり、例えばＸ＝Ｎ−１となっていた場合には、１ビットのエラーであるためパリティチェックで検出される。
【００３８】
一方、ランドＮをトレースする場合、Ｌトラックアドレス系からアドレス値（Ｎ）が読み出される。これをアドレスＸとする。この時点では、アドレスＸは正確なアドレスか否か不明である。次に、同じランドＮにおいて、Ｇトラックアドレス系のアドレス情報を読み取る。Ｇトラックアドレス系は逆相ウォブルを含んでおり、一義的にアドレスを決定することができないが、アドレス情報は符号間距離が１のグレーコードで埋め込まれており、Ｇトラックアドレス系のアドレス情報のうち、１つのビットのみが逆相ウォブルとなっているから、そのアドレスはＮかＮ＋１のいずれかである。すなわち、逆相ウォブルとなっている信号部分を０と読み取った場合にはアドレスはＮとなり、逆相ウォブルとなっている信号部分を１と読み取った場合にはアドレスはＮ＋１となる。Ｇトラックアドレス系は、このようにＮかＮ＋１かいずれかの値を取り得るのであり、このアドレス値をＹとする。
【００３９】
Ｌトラックアドレス系から読み取ったアドレス値Ｘが仮に正しい値である場合、Ｘ＝Ｎ
であり、Ｙ＝ＮあるいはＮ＋１であることを考慮すると、Ｘ＝ＹあるいはＸ＝Ｙ−１の関係にある。一方、仮にＬトラックアドレス系から読み取ったアドレス値Ｘが誤りであり、例えばＸ＝Ｎ−２あるいはＮ＋２となっていた場合、Ｘ＝ＹあるいはＸ＝Ｙ＋１の関係を満たさず、これはアドレス値Ｘの読み取りエラーであると判定できる。
【００４０】
また、Ｌトラックアドレス系から読み取ったアドレス値Ｘが誤りであり、例えばＸ＝Ｎ＋１となっていた場合、１ビットのエラーであるからパリティチェックで検出される。
【００４１】
図３には、グルーブトラックをトレースする場合のアドレス情報検証処理フローチャートが示されている。
【００４２】
グルーブトラックをトレースする場合、セグメント情報を取得するとともに、Ｇトラックアドレス系の再生信号からウォブル信号を抽出し、これを復調してアドレス値Ｘを得る（Ｓ１０１）。具体的には、再生信号から所定のウォブル周波数を有する成分を抽出し、これを２値化してアドレス情報を得る。アドレス値Ｘはアドレスデコード回路２８からシステムコントローラ３２に供給される。
【００４３】
システムコントローラ３２は、読み取ったアドレス値Ｘのパリティをチェックし、パリティがＯＫか否かを判定する（Ｓ１０２）。パリティが一致せずＮＧと判定した場合には、アドレス値Ｘには１個（あるいはそれ以上の奇数個）のエラーが存在することになるから、アドレス値Ｘには読み取りエラーが生じていると判定する（Ｓ１０６）。
【００４４】
一方、パリティが一致しＯＫと判定した場合、読み取りエラーがなく正常であるか、あるいは２ビット（あるいはそれ以上の偶数個）のエラーが生じているかのいずれかであるから、これらを識別するために、次に、同じグルーブトラックにおいてトラック方向に沿ってずれて形成されたＬトラックアドレス系の再生信号から同様にウォブル信号を抽出し、これを復調してアドレス値Ｙを得る（Ｓ１０３）。Ｌトラックアドレス系は逆相ウォブルを含んでいるためその部分のデータ値は不定であるが、しきい値で２値化してこれを０あるいは１として（強制的に）読み出す。アドレス値Ｙはアドレスデコード回路２８からシステムコントローラ３２に供給される。
【００４５】
Ｇトラックアドレス系からアドレス値Ｘ、Ｌトラックアドレス系からアドレス値Ｙを取得した後、システムコントローラ３２は、アドレス値Ｘとアドレス値Ｙとが所定の関係式、すなわちＸ＝ＹあるいはＸ＝Ｙ＋１のいずれかを満たしているかを判定する（Ｓ１０４）。例えば、Ｘ＝ＮでありＹ＝Ｎ−１である場合、アドレス値Ｘは正常でありＧトラックアドレス系のアドレス読み取りは正常に行われたとしてアドレス値Ｘを確定する（Ｓ１０５）。一方、Ｘ＝ＹあるいはＸ＝Ｙ＋１のいずれも満たさない場合、アドレス値Ｘは異常でありＧトラックアドレス系読み取りにエラー（２ビット以上の偶数個のエラー）が生じたと判定する（Ｓ１０６）。読み取りエラーと判定した場合、システムコントローラ３２は所定のエラー処理を実行する。
【００４６】
図４には、ランドトラックをトレースする場合のアドレス情報検証処理フローチャートが示されている。
【００４７】
ランドトラックをトレースする場合、セグメント情報を取得するとともに、Ｌトラックアドレス系の再生信号からウォブル信号を抽出し、これを復調してアドレス値Ｘを得る（Ｓ２０１）。具体的には、再生信号から所定のウォブル周波数を有する成分を抽出し、これを２値化してアドレス情報を得る。アドレス値Ｘはアドレスデコード回路２８からシステムコントローラ３２に供給される。
【００４８】
システムコントローラ３２は、読み取ったアドレス値Ｘのパリティをチェックし、パリティがＯＫか否かを判定する（Ｓ２０２）。パリティが一致せずＮＧと判定した場合には、アドレス値Ｘには１個（あるいはそれ以上の奇数個）のエラーが存在することになるから、アドレス値Ｘには読み取りエラーが生じていると判定する（Ｓ２０６）。
【００４９】
一方、パリティが一致しＯＫと判定した場合、読み取りエラーがなく正常であるか、あるいは２ビット（あるいはそれ以上の偶数個）のエラーが生じているかのいずれかであるから、これらを識別するために、次に、同じランドトラックにおいてトラック方向に沿ってずれて形成されたＧトラックアドレス系の再生信号から同様にウォブル信号を抽出し、これを復調してアドレス値Ｙを得る（Ｓ２０３）。Ｇトラックアドレス系は逆相ウォブルを含んでいるためその部分のデータ値は不定であるが、しきい値で２値化してこれを０あるいは１として（強制的に）読み出す。アドレス値Ｙはアドレスデコード回路２８からシステムコントローラ３２に供給される。
【００５０】
Ｌトラックアドレス系からアドレス値Ｘ、Ｇトラックアドレス系からアドレス値Ｙを取得した後、システムコントローラ３２は、アドレス値Ｘとアドレス値Ｙとが所定の関係式、すなわちＸ＝ＹあるいはＸ＝Ｙ−１のいずれかを満たしているかを判定する（Ｓ２０４）。例えば、Ｘ＝ＮでありＹ＝Ｎ＋１である場合、アドレス値Ｘは正常でありＬトラックアドレス系のアドレス読み取りは正常に行われたとしてアドレス値Ｘを確定する（Ｓ２０５）。一方、Ｘ＝ＹあるいはＸ＝Ｙ−１のいずれも満たさない場合、アドレス値Ｘは異常でありＬトラックアドレス系読み取りにエラー（２ビット以上の偶数個のエラー）が生じたと判定する（Ｓ２０６）。読み取りエラーと判定した場合、システムコントローラ３２は所定のエラー処理を実行する。
【００５１】
このように、本実施形態では、グルーブトラックをトレースする場合には、まずＧトラックアドレス系のパリティビットを用いてパリティを検査し、パリティが一致しない場合には読み取りエラーが生じたと判定する。そして、パリティが一致する場合でも偶数個の読み取りエラーが生じている可能性があるため、これを検出するためにＬトラックアドレス系の情報を用いてＧトラックアドレス系から読み出したアドレス情報の検証を行う。また、ランドトラックをトレースする場合にも同様に、まずＬトラックアドレス系のパリティビットを用いてパリティを検査し、パリティが一致しない場合には読み取りエラーが生じたと判定する。そして、パリティが一致する場合でも偶数個の読み取りエラーが生じている可能性があるため、これを検出するためにＧトラックアドレス系の情報を用いてＬトラックアドレス系から読み出したアドレス情報の検証を行う。これにより、アドレス情報の読み取りエラーを確実に検出し、アドレス情報の信頼性を向上することができる。
【００５２】
なお、本実施形態において、Ｇトラックアドレス系のアドレスデータ及びＬトラックアドレス系のアドレスデータにそれぞれ１ビットのパリティビットを付加しているが、このパリティビットのパリティを検査するための「パリティパリティビット」をさらに付加してもよい。
【００５３】
図５には、１ビットのパリティビット（Ｐ）２００を付加し、さらにこのパリティビット（Ｐ）２００のパリティである１ビットのパリティパリティビット（ＰＰ）３００を付加する構成が示されている。パリティ（Ｐ）２００及びパリティパリティビット（ＰＰ）３００がともに正常である場合、アドレスデータには１ビットあるいはそれ以上の奇数個のエラーは存在しないことが判定できる。そして、以後は上述した実施形態と同様に、２つのアドレス情報を比較して読み取りエラーがないか、あるいは偶数個の読み取りエラーが生じているかを識別する。
【００５４】
また、図３あるいは図４の処理に移行する際には、現在トレースしているトラックがグルーブトラックであるかランドトラックであるかを判別する必要があるが、これは例えばトラッキングサーボの極性で判別できる。
【００５５】
また、本実施形態では、図３のＳ１０４で示すように、グルーブトレース時にはＸ＝ＹあるいはＸ＝Ｙ＋１であるか否かを判定しているが、システムコントローラ３２は、｜Ｘ−Ｙ｜≦１であるか否かを判定し、この条件を満たさない場合に読み取りエラーと判定してもよい。同様に、ランドトレース時における処理（図４のＳ２０４）においても、｜Ｘ−Ｙ｜≦１であるか否かを判定し、この条件を満たさない場合に読み取りエラーと判定してもよい。もちろん、｜Ｘ−Ｙ｜＞１であるか否かを判定し、この条件を満たす場合にエラーと判定してもよい。
【００５６】
また、本実施形態では、パリティが一致した場合にグルーブトレース時においてはＬトラックアドレス系のアドレスを読み取り、ランドトレース時にはＧトラックアドレス系のアドレスを読み取っているが、パリティチェックに先立ってこれらを読み取ってもよい。すなわち、グルーブトレース時には、Ｇトラックアドレス系のアドレス値Ｘを読み取り、さらにＬトラックアドレス系のアドレス値Ｙを読み取る。次に、アドレス値Ｘのパリティをチェックし、パリティがＮＧであればエラーと判定し、パリティがＯＫであればアドレス値Ｘとアドレス値Ｙとを比較し、Ｓ１０４の関係を満たす場合に正常、満たさない場合にエラーと判定してもよい。
【図面の簡単な説明】
【００５７】
【図１】実施形態の全体構成図である。
【図２】実施形態のトラックアドレス説明図である。
【図３】グルーブトラックトレース時の処理フローチャートである。
【図４】ランドトラックトレース時の処理フローチャートである。
【図５】他の実施形態のトラックアドレス説明図である。
【図６】光ディスク（ＨＤ−ＤＶＤ）のウォブル説明図である。
【図７】光ディスク（ＨＤ−ＤＶＤ）のトラックアドレス説明図である。
【符号の説明】
【００５８】
１０  光ディスク（ＨＤ−ＤＶＤ）、３２  システムコントローラ、３６  エンコード／デコード回路。
【図１】
2005259188.tif 000003
【図２】
2005259188.tif 000004
【図３】
2005259188.tif 000005
【図４】
2005259188.tif 000006
【図５】
2005259188.tif 000007
【図６】
2005259188.tif 000008
【図７】
2005259188.tif 000009
【手続補正書】
【提出日】平成17年1月19日(2005.1.19)
【手続補正１】
【補正対象書類名】特許請求の範囲
【補正対象項目名】請求項２
【補正方法】変更
【補正の内容】
【請求項２】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記ランドトラックアドレス系はパリティビットを有し、
前記ランドトラックアドレス系を再生して得られるウォブル信号から第１ランドアドレス情報Ｘを復調する手段と、
前記パリティビットを用いて前記第１ランドアドレス情報Ｘのパリティを検査する手段と、
前記パリティの検査が正常である場合に前記グルーブトラックアドレス系を再生して得られるウォブル信号から第２ランドアドレス情報Ｙを復調する手段と、
前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段と、
を有することを特徴とする光ディスク装置。
【手続補正２】
【補正対象書類名】明細書
【補正対象項目名】００１５
【補正方法】変更
【補正の内容】
【００１５】
また、本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記ランドトラックアドレス系はパリティビットを有し、前記ランドトラックアドレス系を再生して得られるウォブル信号から第１ランドアドレス情報Ｘを復調する手段と、前記パリティビットを用いて前記第１ランドアドレス情報Ｘのパリティを検査する手段と、前記パリティの検査が正常である場合に前記グルーブトラックアドレス系を再生して得られるウォブル信号から第２ランドアドレス情報Ｙを復調する手段と、前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段とを有することを特徴とする。